(57)【要約】    【課題】側壁部と商品との間のスペースを小さくでき、大型で重量がある商品でも簡単に包装可能な輸送用包装箱を提供する。    【解決手段】パレット１０は、矩形状をなす底壁体１１と、底壁体１１の下面に設けられた桁体１３と、底壁体１１の上面の縁に立設されるとともに、底壁体１１において少なくとも対向する２つの縁と対応する位置に係止孔２４を設けた枠体１６とを備え、外箱２７は、枠体１６の内部に嵌合するように配設されるとともに、枠体１６の外側から係止孔２４に差し込んで係止する係止片４０を設けた外周壁体２８を備えている。【選択図】図１
2005153917.tif 000002
【特許請求の範囲】
【請求項１】
パレットと、該パレットの上部に組み付ける外箱とからなる輸送用包装体において、
前記パレットは、
矩形状をなす底壁体と、
前記底壁体の下面に設けられた桁体と、
前記底壁体の上面の縁に立設されるとともに、前記底壁体において少なくとも対向する２つの縁と対応する位置に係止孔を設けた枠体とを備え、
前記外箱は、
前記枠体の内部に嵌合するように配設されるとともに、前記枠体の外側から前記係止孔に差し込んで係止する係止片を設けた外周壁体を備えていることを特徴とする輸送用包装体。
【請求項２】
前記外箱は、前記外周壁体の内周部に配設する補強部材を更に備えていることを特徴とする請求項１に記載の輸送用包装体。
【発明の詳細な説明】
【技術分野】
【０００１】
本発明は、大型で重量がある商品などを搬送するのに適した状態に包装するための輸送用包装体に関するものである。
【背景技術】
【０００２】
本発明の輸送用包装体に関連する先行技術文献情報としては次のものがある。
【０００３】
【特許文献１】特開２００１−３２２６２５号公報
【０００４】
この特許文献１の輸送用包装体は、パレットの上部に、別体の外箱を装着することにより、商品を包装するものである。
【０００５】
前記パレットは、複数の段ボール紙を積層した天板と、段ボール製の底板とを、スペーサーを介して一体化したものである。前記天板には、積層される中間部分の段ボール紙の所定位置に切欠部を設けることにより、係止孔が設けられている。
【０００６】
前記外箱は、四方を囲繞する側壁部の上下端縁に、それぞれ蓋を構成する天フラップおよび底フラップを連設したものである。そして、パレットの係止孔に対応する側壁部には、底フラップにかけて延びる係止片が設けられている。
【発明の開示】
【発明が解決しようとする課題】
【０００７】
しかしながら、前記特許文献１の輸送用包装体では、パレットに設けた係止孔に、外箱に設けた係止片を差し込む構成とし、パレットと外箱とのズレ防止対策を施しているが、この構造ではやはりズレを確実に防止することはできない。
【０００８】
また、前記構成の輸送用包装体は、パレット上に商品を配置した状態で外箱を配置することはできない。そして、パレット上に外箱を配置した状態で、前記外箱内に大型で重量が重い商品を収容する場合、外箱と商品との間のスペースが少ない場合には非常に作業性が悪いという問題がある。逆に、包装箱と商品との間のスペースを広くした場合には、ブランクを形成するのに必要な段ボール紙の面積が大きくなり、コスト高になる。一方、外箱に商品を収容させた状態で、商品とともに外箱をパレット上に設置する場合、外箱の底蓋を構成する底フラップが破損する可能性がある。
【０００９】
そこで、本発明では、側壁部と商品との間のスペースを小さくでき、大型で重量がある商品でも簡単に包装可能な輸送用包装箱を提供することを課題とするものである。
【課題を解決するための手段】
【００１０】
前記課題を解決するため、本発明の輸送用包装体は、パレットと、該パレットの上部に組み付ける外箱とからなる輸送用包装体において、前記パレットは、矩形状をなす底壁体と、前記底壁体の下面に設けられた桁体と、前記底壁体の上面の縁に立設されるとともに、前記底壁体において少なくとも対向する２つの縁と対応する位置に係止孔を設けた枠体とを備え、前記外箱は、前記枠体の内部に嵌合するように配設されるとともに、前記枠体の外側から前記係止孔に差し込んで係止する係止片を設けた外周壁体を備えた構成としている。
【００１１】
この輸送用包装体では、前記外箱は、前記外周壁体の内周部に配設する補強部材を更に備えていることが好ましい。
【発明の効果】
【００１２】
本発明の輸送用包装体では、底壁体と桁体と枠体とを備えたパレットにおいて、前記枠体内に位置するように外箱を構成する外周壁体を配置し、該外周壁体に設けた係止片を枠体の係止孔に外側から差し込んで係止する構成としているため、パレットに対する外箱である外周壁体の位置ズレを確実に防止することができる。しかも、外周壁体には、底蓋を構成する底フラップが設けられていないため、包装する商品が大型で重量が重いものである場合、パレットに商品を載置した状態で外周壁体を配置することにより、簡単かつ確実に商品を収容することができる。
【００１３】
また、外周壁体の内周部には、補強部材を更に配設する構成としているため、この補強部材がパレットに差し込んだ係止片を押圧して抜け止めを図る役割をなすため、確実に組付状態を維持できる。しかも、商品を収容した輸送用包装体の上部に、他の商品を収容した輸送用包装体を積み重ねることが可能になるため、使用および輸送に係る利便性を向上することができる。
【発明を実施するための最良の形態】
【００１４】
以下、本発明の実施の形態を図面に従って説明する。
【００１５】
図１から図７は、本発明の実施形態に係る輸送用包装体を示す。この輸送用包装体は、底壁体と桁体１３と一対の枠体１６とからなるパレット１０、および、該パレット１０の上部に組み付けられる外周壁体２８と補強部材４３とからなる外箱２７からなる段ボール紙製のものである。ここで、この段ボール紙は、一対の表紙および裏紙の間に波状の中しんを配設したものである。
【００１６】
前記パレット１０を構成する底壁体１１は、図２および図３（Ａ），（Ｂ）に示すように、矩形状をなす一対の底シート１２Ａ，１２Ｂを積層したものである。これら底シート１２Ａ，１２Ｂは、段ボール紙の中しん１２ａが互いに直交方向に交差して延びるように切断されるとともに、酢酸ビニルエマルジョン系の接着剤などによって貼着されている。
【００１７】
前記桁体１３は、長方形状に切断した複数（本実施形態では９枚）の桁シート１４を前記と同様の接着剤により貼着して積層したものである。本実施形態では、９個の桁材を形成するとともに、３個づつ連結シート１５に対して等間隔で接着剤により貼着する。そして、この連結シート１５をそれぞれ前記底壁体１１の底面に対して幅方向に等間隔で接着剤により貼着することにより、３行３列の等間隔の配列で一体に固定している。なお、前記桁シート１４は、段ボール紙の中しん１４ａが全て垂直方向に延びるように切断されている。また、連結シート１５は、段ボール紙の中しん１５ａが、前記底壁体１１を構成する下側の底シート１２Ｂの中しん１２ａに対して直交方向に交差して延びるように切断されている。
【００１８】
前記枠体１６は、図２および図４（Ａ），（Ｂ）に示すように、前記底壁体１１の上面において対向する両側縁に一体に設けられる略凹字形状のものである。具体的には、この枠体１６は、底壁体１１において幅方向の両端縁に立設される枠本体１７と、該枠本体１７の両側に連設されて底壁体１１において前記縁と隣接する長手方向の両端縁に立設される一対の側枠部１８とからなる。これら枠本体１７と側枠部１８との境界部分には罫を入れて形成した折曲線１９が設けられている。また、側枠部１８の先端上部は、円弧状に面取りしたアール部２０とされている。さらに、前記枠本体１７および側枠部１８の下端縁には、前記底壁体１１に対して接着剤により貼着するための糊代部２１ａ，２１ｂ，２１ｃがそれぞれ連設され、その境界部分には折曲線２２が設けられている。各糊代部２１ａ，２１ｂ，２１ｃの境界部分には、凹字形状に折り曲げた際に隣接する糊代部２１ａ，２１ｂ，２１ｃが重畳しないように逆Ｖ字形状の切欠部２３が設けられている。さらにまた、本実施形態の枠体１６には、前記底壁体１１において対向する２つの縁と対応し、該底壁体１１と近接する位置である前記枠本体１７の中央下部に、略長楕円形状に打ち抜いた係止孔２４が設けられている。そして、本実施形態では、この枠体１６において、前記係止孔２４の周囲は、別体の補強シート２５を接着剤によって貼着することにより剛性が高められている。この補強シート２５の下端縁には、前記係止孔２４に一致する半長楕円形状をなす切欠溝２６が設けられている。なお、前記枠体１６は、段ボール紙の中しん１６ａが垂直方向に延びるように切断されている。また、前記補強シート２５は、段ボール紙の中しん２５ａが、前記枠体１６の中しん１６ａに対して直交方向に交差して延びるように切断されている。
【００１９】
前記外箱２７を構成する外周壁体２８は、図２および図５（Ａ）に示すように、一対の枠体１６の内部に嵌合するように配設されるもので、同一形状をなす一対の外周壁シート２９Ａ，２９Ｂを接着剤により貼着することにより形成される。具体的には、これら外周壁シート２９Ａ，２９Ｂは、底壁体１１において長手方向に延びる側壁部３０と、該側壁部３０の一端に連設され底壁体１１において幅方向に延びる端壁部３１とを備えている。また、側壁部３０の他端には糊代部３２が連設され、これら側壁部３０、端壁部および糊代部３２の境界部分には折曲線３３が設けられている。なお、外周壁シート２９Ａ，２９Ｂは、段ボール紙の中しん２９ａが垂直方向に延びるように切断されている。
【００２０】
前記側壁部３０および端壁部３１の上端縁には、形成される上端開口を完全には閉塞しない上側ショートフラップ３４Ａ，３４Ｂが設けられ、各境界部分には折曲線３５が設けられている。また、側壁部３０の下端縁には、外箱２７の底蓋を構成するものではなく、外周壁体２８を底壁体１１上に安定して立設させるための目的で形成された下側ショートフラップ３６が連設され、その境界部分には罫線３７が設けられている。この罫線３７は、図５（Ｂ）に示すように、所定間隔をもってミシン目状に設けた折曲線３８と、該折曲線３８の非連続部に位置する切断線３９とからなる。具体的には、この切断線３９は、折曲線３８と所定間隔をもって並行に位置するように設けられ、該折曲線３８と段差を設けることにより、側壁部３０に対して折り曲げ易く、かつ、組み立て易くなるように構成している。また、この切断線３９の両端には、円弧状のアール部３９ａが設けられ、このアール部３９ａに前記折曲線３８が突き当たるとともに、アール部３９ａの端部が折曲線３８を越えるように構成し、段ボール紙自身が有する弾性による反発をなくすようにしている。
【００２１】
さらに、前記端壁部３１の下部中央には、前記枠体１６の係止孔２４に外側から差し込んで係止する係止片４０が設けられている。この係止片４０は、端壁部３１の下端縁より突出するように設けられたもので、その突出部分の基部からは端壁部３１内である垂直上向きに延びるように一対の切断線４１が設けられている。この係止片４０において、前記切断線４１の上端間、端壁部３１の下端縁と対応する位置、および、端壁部３１の下端縁と対応する位置と係止片４０の先端との間の中間位置には、それぞれ折曲線４２ａ，４２ｂ，４２ｃが設けられている。
【００２２】
前記補強部材４３は、図２および図６（Ａ），（Ｂ）に示すように、略凹字形状をなす一対の内壁シート４４Ａ，４４Ｂと、該内壁シート４４Ａ，４４Ｂを介して一体的に組み込む複数の中骨シート４６とからなる。内壁シート４４Ａ，４４Ｂは、外周壁体２８における端壁部３１と、両側に隣接する側壁部３０の半分の内側領域に配設されるもので、その所定位置には折曲線４５が設けられている。前記中骨シート４６は、その中央に設けた罫線４７により２つの折り曲げて重畳させた状態で貼着し、更に前記内壁シート４４Ａ，４４Ｂの所定位置に貼着されるものである。前記罫線４７は、図６（Ｂ），（Ｃ）に示すように、一対の連続部４８を除いて垂直に設けた切断線４９と、切断線４９の端部に設けた水平方向に延びる切断線５０とを備えている。前記連続部４８には、段ボール紙に肉厚に相当する間隔をあけて一対の折曲線４８ａが設けられている。なお、前記内壁シート４４Ａ，４４Ｂおよび中骨シート４６は、段ボール紙の中しん４４ａ，４６ａが垂直方向に延びるように切断されている。
【００２３】
このような各構成部品からなる輸送用包装体は、水濡れと地面との摩擦による摩耗を低減するために、これらの問題が生じる可能性が高い少なくともパレット１０を構成する底壁体１１および桁体１３に、耐水処理を施すことが好ましい。または、これら底壁体１１および桁体１３は、段ボール紙の代わりに、古紙を主原料とした強耐水板紙で表面（両面）にポリエチレンをラミネートした耐水ボードを使用して形成してもよい。
【００２４】
次に、前記輸送用包装体の使用方法について説明する。
【００２５】
まず、前記パレット１０は、底壁体１１に対して、下面に連結シート１５を介して複数の桁体１３が貼着されるとともに、上面の両端に枠体１６が貼着され、一体に組み立てられた状態をなしている。この状態で、前記パレット１０の上に、大型で重量が重い商品を所定の移送手段によって載置する。
【００２６】
ついで、糊代部３２を端壁部３１に対して貼着することにより一体化した外周壁体２８を商品の上側から被せ、該外周壁体２８をパレット１０の枠体１６内に嵌合させる。この際、外周壁体は、一対の下側ショートフラップ３６を内向きに折り曲げるとともに、折曲線４２ａに沿って係止片４０を外向きに折り曲げる。そして、折曲線４２ｂ，４２ｃに沿って係止片４０を折り曲げながら、該係止片４０を枠体１６の係止孔２４に差し込む。この際、収容する商品と外周壁体２８との隙間が小さい場合、前記係止片４０が商品に当接して完全に差し込めない可能性があるが、本実施形態では、折曲線４２ｃを設けているため、内部で折れ曲がることにより確実に差し込むことが可能である。
【００２７】
その後、内壁シート４４Ａ，４４Ｂの両端および折曲線４５の両側の合計で６個づつ中骨シート４６を予め貼着した補強部材４３を、外周壁体２８の内周部に差し込んで配置する。これにより、図７に示すように、この補強部材４３は係止片４０の上部に載置された状態になる。その結果、外周壁体２８の係止片４０が枠体１６の係止孔２４から抜け、パレット１０から外箱２７が離脱することを確実に防止できる。
【００２８】
なお、前記外周壁体２８は、一対の外周壁シート２９Ａ，２９Ｂを貼着していない状態で、パレット１０に載置した商品の側方からそれぞれ被せるように配置し、その配置後に糊代部３２を相手方の外周壁シート２９Ａ，２９Ｂの端壁部３１に貼着して一体化してもよく、その使用方法は種々の変更が可能である。言い換えれば、本実施形態の外箱２７には、底蓋を構成するフラップを設けていないため、包装する商品の大きさに応じて使用（包装）方法を変更することが可能である。
【００２９】
このようにして組み立てた輸送用包装体は、桁体１３間にフォークリフトの爪を差し込むことにより、外周部を包装した状態で搬送することができる。また、本実施形態では、パレット１０に枠体１６を設け、この枠体１６内に位置するように外箱２７を構成する外周壁体２８を配置し、該外周壁体２８に設けた係止片４０を枠体１６に設けた係止孔２４に外側から差し込んで係止するため、パレット１０に対する外箱２７である外周壁体２８の位置ズレを確実に防止することができる。
【００３０】
しかも、外周壁体２８には、底蓋を構成する底フラップが設けられていないため、包装する商品に応じて使用方法を変更することにより、簡単かつ確実に商品を収容することができる。また、外箱２７と商品との間には収容作業のために大きなスペースを設ける必要がないため、外箱２７の大型化に伴ってコスト高になることを防止できる。
【００３１】
さらに、本実施形態の外箱２７は、外周壁体２８の内周部に補強部材４３を更に配設するため、この補強部材４３がパレット１０に差し込んだ係止片４０を押圧して抜け止めを図る役割をなし、確実に組付状態を維持できる。しかも、垂直方向の剛性を高めることができるため、商品を収容した輸送用包装体の上部に、他の商品を収容した輸送用包装体を積み重ねても座屈するなどの問題が生じることを防止でき、使用および輸送に係る利便性を向上することができる。
【００３２】
なお、本発明の輸送用包装体は、前記実施形態の構成に限定されるものではなく、種々の変更が可能である。
【００３３】
例えば、前記実施形態では、外箱２７を構成する外周壁体２８を一対の外周壁シート２９Ａ，２９Ｂを貼り合わせることにより形成したが、一枚のブランクとして一体に形成してもよい。また、補強部材４３は、内壁シート４４Ａ，４４Ｂと中骨シート４６により構成したが、いずれか一方のみにより構成してもよい。
【００３４】
さらに、前記実施形態では、輸送用包装体を構成する全ての部品を紙を打ち抜くことにより構成したが、パレット１０、特に、パレット１０を構成する底壁体１１や桁体１３は、樹脂や木材などの材料により構成してもよい。
【００３５】
さらにまた、前記枠体１６は、略凹字形状をなすように一対設けたが、パレット１０が小型である場合、底壁体１１の上面の全外周縁から立設されるように矩形状に設けてもよい。この場合、前記係止孔２４は、底壁体１１において少なくとも対向する２つの縁と対応する位置に設ければよく、その数および位置は希望に応じて変更が可能である。
【図面の簡単な説明】
【００３６】
【図１】本発明の実施形態の係る輸送用包装体を示し、（Ａ）はパレットと外箱との組立前の状態を示す分解斜視図、（Ｂ）は組立状態を示す斜視図である。
【図２】パレットおよび外箱の分解斜視図である。
【図３】（Ａ），（Ｂ）は底壁体を構成する底シートを示す平面図である。
【図４】（Ａ）は枠体のブランクを示す平面図、（Ｂ）は枠体の補強シートを示す平面図である。
【図５】（Ａ）は外周壁体を構成する外周壁シートのブランクを示す平面図、（Ｂ）は（Ａ）の要部拡大平面図である。
【図６】（Ａ）は補強部材を構成する内壁シートのブランクを示す平面図、（Ｂ）は補強部材を構成する中骨シートのブランクを示す平面図、（Ｃ）は（Ｂ）の要部拡大平面図である。
【図７】組立状態の輸送用包装体の要部断面図である。
【符号の説明】
【００３７】
１０…パレット、１１…底壁体、１３…桁体、１５…連結シート、１６…枠体、２４…係止孔、２５…補強シート、２７…外箱、２８…外周壁体、４０…係止片、４３…補強部材、４４Ａ，４４Ｂ…内壁シート、４６…中骨シート。
【図１】
2005153917.tif 000003
【図２】
2005153917.tif 000004
【図３】
2005153917.tif 000005
【図４】
2005153917.tif 000006
【図５】
2005153917.tif 000007
【図６】
2005153917.tif 000008
【図７】
2005153917.tif 000009